(57)【要約】【課題】注射針が露出して危害をもたらすことを避け、操作が容易で、安全性を有し、且つ二次的に利用される恐れのないようにすること。【解決手段】回転軸保護キャップ及びセッティング部材又は保護カバー及び回転保護部材を一般の注射器と分離できる注射針、或いは注射針と一体成型された注射器において使用する時、回転軸を軸心として回転させ、注射針を露出して抽出又は注射の動作を行い、且つ使用が終わったら、回転軸保護キャップ或いは回転保護部材を元の位置に戻すことによって、注射針が露出して危険を招くことを避ける。又、頭皮針を使用する時は、位置決め部材と頭皮針を嵌め合わせ、且つ位置決め部材の上の係止体によって注射針キャップの凹溝及び制止ブロックと共に位置決め動作を行う。【選択図】図１
2007511259.tif 000002
【特許請求の範囲】
【請求項１】
主として一般の注射器と分離できる注射針、或いは注射針と一体成型された注射器において使用され、
回転軸保護キャップと、
セッティング部材と、を含み、
前記回転軸保護キャップは、注射針キャップの側辺に回転軸を有する延伸部を設け、前記回転軸の底部に突起ブロックを設け、注射針キャップの中に収容部を設け、且つ注射針キャップの外側縁に延伸部と並行する開口を設けてあり、
前記セッティング部材には、回転軸穴及び固定穴を設け、且つ回転軸穴及び固定穴の間を通路で繋ぐと共に、通路の固定穴に近いところに制動ブロックを設けてあり、又、前記セッティング部材の側辺にセッティング部を延伸し、前記セッティング部にはセッティング穴を開設すると共に、セッティング部材とセッティング部の繋ぎ目に収容穴を設けてあり、
前記回転軸保護キャップは、回転軸をセッティング部材の回転軸穴の中へ貫通させ、且つ回転軸底部の突起ブロックは回転軸穴の外側壁面に当接し、前記セッティング部のセッティング穴は注射器又は注射針の外縁にセットできるようになっていることを特徴とする、
使い捨て安全注射針の保護キャップ。
【請求項２】
前記セッティング部の上にはセッティング穴を設けず、セッティング部を直接注射針又は注射器の上に設置して、セッティング部と注射針又は注射器とが一体成型されるようにしたことを特徴とする、請求項１に記載の使い捨て安全注射針の保護キャップ。
【請求項３】
前記注射針キャップの収容部の中に吸水性を有する吸水部材を設置できるようにしたことを特徴とする、請求項１に記載の使い捨て安全注射針の保護キャップ。
【請求項４】
前記延伸部の末端は、外へ向かって折断出来、又はセッティング部の長さを増加して、比較的大きいサイズの注射器に適用できるようにしたことを特徴とする、請求項１に記載の使い捨て安全注射針の保護キャップ。
【請求項５】
前記延伸部の底部には、注射器外縁を係止出来るセッティング部材を設置したことを特徴とする、請求項１に記載の使い捨て安全注射針の保護キャップ。
【請求項６】
前記延伸部には、若干の折断部を設置したことを特徴とする、請求項１に記載の使い捨て安全注射針の保護キャップ。
【請求項７】
前記延伸部と注射器の上に、係止部材を設置して互いに係合するようにしたことを特徴とする請求項１に記載の使い捨て安全注射針の保護キャップ。
【請求項８】
前記係止部材は、係合、嵌合、付合、歯合、対応接合、嵌着接合、又は制止干渉する方式で延伸部と注射器を互いに接合させるようにしたことを特徴とする請求項７に記載の使い捨て安全注射針の保護キャップ。
【請求項９】
主として一般の注射器と分離できる注射針、或いは注射針と一体成型された注射器において使用され、
保護カバーと、回転保護部材と、を含み、
前記保護キャップは、その側辺に垂直部を延伸し、前記垂直部の上に回転軸穴を開設し、且つ前記保護カバーの上に保護カバーを貫通する貫通穴を設けてあり、
前記回転保護部材は、その側辺に延伸部を設け、且つ前記延伸部の上に回転軸を設け、前記回転軸の末端には突起ブロックを設けてあり、
前記保護カバーは、伸縮カバーによって一般の注射器と分離できる注射針、又は注射針と一体成型された注射器の上に連接され、
前記回転保護部材は、回転軸によって保護カバーの回転軸の中に穿設され、且つ回転軸末端の突起ブロックは回転軸穴の外側壁面に当接していることを特徴とする、
使い捨て安全注射針の保護キャップ。
【請求項１０】
前記回転保護部材及び保護カバーには、対応する係止部材を設置して係合させるようにしたことを特徴とする、請求項９に記載の使い捨て安全注射針の保護キャップ。
【請求項１１】
前記保護カバーの底部には、セッティング部材によって注射針又は注射器と一体成型された注射器と連結し、且つ前記セッティング部材は注射針を軸心として回転できることを特徴とする、請求項９に記載の使い捨て安全注射針の保護キャップ。
【請求項１２】
前記係止部材は、係合、嵌合、付合、歯合、対応接合、嵌着接合又は制止干渉する方式で相互接合したことを特徴とする、請求項１０に記載の使い捨て安全注射針の保護キャップ。
【請求項１３】
主として頭皮針に使用され、
注射針キャップと、位置決め部材と、を含み、
前記注射針キャップの上に通路を設け、且つ注射針キャップ側辺前縁に凹溝を有する固定片を設け、且つ前記注射針キャップには、固定片の後端に制止ブロックを有する制止部を設け、注射針キャップの側辺には手持ち部を延伸してあり、
前記位置決め部材には、セッティング穴を開設し、且つ前記位置決め部材の上方から両側へ向かってそれぞれ係止片を延伸し、更に注射針キャップ側辺の固定片の位置に対応する係止片の上に係止体を延伸してあり、
前記位置決め部材は、セッティング穴によって頭皮針と連接すると共に注射針キャップの中に穿設され、更に係止片によって注射針キャップの外側壁面に挟み付けられ、そして位置決め部材の係止体は制止部の制止ブロックの前端に設けてあることを特徴とする、
使い捨て安全注射針の保護キャップ。
【請求項１４】
前記通路は、注射針キャップの後端を貫通し、且つ通路の後ろ側に一個又は一個以上のとめブロックを設置したことを特徴とする、請求項１３に記載の使い捨て安全注射針の保護キャップ。
【請求項１５】
前記注射針キャップの側辺には、手持ち部を設けず、位置決め部材又は注射針キャップに対応して設けた係止体のもう一方の側に係止体を延伸したことを特徴とする、請求項１３に記載の使い捨て安全注射針の保護キャップ。
【請求項１６】
前記注射針キャップの側辺前縁には、固定片を設けず、注射針キャップの通路外縁に若干の位置決めポイントを設置したことを特徴とする、請求項１３に記載の使い捨て安全注射針の保護キャップ。
【請求項１７】
前記注射針キャップには、制止部を設けず、直接制止ブロックを通路の片側又は両側の注射針キャップ外縁に設けたことことを特徴とする、請求項１３に記載の使い捨て安全注射針の保護キャップ。
【請求項１８】
前記位置決め部材には、セッティング穴を設けず、位置決め部材と頭皮針を一体成型したことを特徴とする、請求項１３に記載の使い捨て安全注射針の保護キャップ。
【発明の詳細な説明】
【技術分野】
【０００１】
本発明は、使い捨て安全注射針の保護キャップに関し、特に操作が簡単且つ安全でしかも二次的に利用される恐れのない、使い捨て安全注射針の保護キャップに関するものである。
【背景技術】
【０００２】
一般に、従来の注射器と分離できる注射針や注射針と一体成型された注射器は、いずれも注射針の外縁にキャップを被せてある。
従って、抽出又は注射の動作を行うときは、キャップを注射針又は注射器から取り外し、しかる後、注射針を患者の体に刺し入れ、且つ注射器で注射又は抽出の動作を行う。
そして、注射、又は抽出が終わったら、裸の注射針による危害を避けるため、もう一度キャップを注射針に被せてから捨てている。
【０００３】
このような従来の構造では、抽出又は注射する時に、キャップを取り外さなければならないので、キャップを遺失し易く、注射針が裸のまま捨てられ、危険である。
しかも、注射が終わった後キャップをもう一度注射針に被せなければならないので、万一、看護人が不注意で針に刺された場合は、感染し易い。
さらに、このような従来構造の注射針や注射器は、二次的に利用され易い。
このように、上述従来構造には又幾多の欠点があり、よい設計とは言い難く、改良が待たれていた。
【発明の開示】
【発明が解決しようとする課題】
【０００４】
本発明は以上の点に鑑みて成されたもので、その目的は、操作が易しく且つ安全な使い捨て安全注射針の保護キャップを提供することにある。
本発明のもう一つ目的は、二次的に利用される恐れのない使い捨て安全注射針の保護キャップを提供することにある。
【課題を解決するための手段】
【０００５】
上述した従来の欠点を解決できる使い捨て安全注射針の保護キャップは、
回転軸保護キャップと、セッティング部材と、を含み、
前記回転軸保護キャップは、注射針キャップの側辺に回転軸を有する延伸部を設け、前記回転軸の底部に突起ブロックを設け、又注射針キャップの中に収容部を設け、且つ注射針キャップの外側縁に延伸部と並行する開口を設けてある。
前記セッティング部材には、回転軸穴及び固定穴を設け、且つ回転軸穴及び固定穴の間を通路で繋ぐと共に、通路の固定穴に近いところに制動ブロックを設けてある。又、前記セッティング部材の側辺にセッティング部を延伸し、前記セッティング部にはセッティング穴を開設すると共に、セッティング部材とセッティング部の繋ぎ目に収容穴を設けてある。
【０００６】
前記回転軸保護キャップは、回転軸をセッティング部材の回転軸穴の中へ貫通させ、且つ回転軸底部の突起ブロックは回転軸穴の外側壁面に当接し、前記セッティング部のセッティング穴は注射器又は注射針の外縁にセットできるようになっている。
又、前記セッティング部にはセッティング穴を設けず、セッティング部を直接注射針又は注射器の上に設置して、セッティング部と注射針又は注射器を一体成型してもよい。
【０００７】
すなわち、本願の第1発明は、主として一般の注射器と分離できる注射針、或いは注射針と一体成型された注射器において使用され、回転軸保護キャップと、セッティング部材と、を含み、前記回転軸保護キャップは、注射針キャップの側辺に回転軸を有する延伸部を設け、前記回転軸の底部に突起ブロックを設け、注射針キャップの中に収容部を設け、且つ注射針キャップの外側縁に延伸部と並行する開口を設けてあり、前記セッティング部材には、回転軸穴及び固定穴を設け、且つ回転軸穴及び固定穴の間を通路で繋ぐと共に、通路の固定穴に近いところに制動ブロックを設けてあり、又、前記セッティング部材の側辺にセッティング部を延伸し、前記セッティング部にはセッティング穴を開設すると共に、セッティング部材とセッティング部の繋ぎ目に収容穴を設けてあり、前記回転軸保護キャップは、回転軸をセッティング部材の回転軸穴の中へ貫通させ、且つ回転軸底部の突起ブロックは回転軸穴の外側壁面に当接し、前記セッティング部のセッティング穴は注射器又は注射針の外縁にセットできるようになっていることを特徴とする、使い捨て安全注射針の保護キャップを提供する。
本願の第２発明は、前記セッティング部の上にはセッティング穴を設けず、セッティング部を直接注射針又は注射器の上に設置して、セッティング部と注射針又は注射器とが一体成型されるようにしたことを特徴とする、前記第1発明に記載の使い捨て安全注射針の保護キャップを提供する。
本願の第３発明は、前記注射針キャップの収容部の中に吸水性を有する吸水部材を設置できるようにしたことを特徴とする、前記第1発明に記載の使い捨て安全注射針の保護キャップを提供する。
本願の第４発明は、前記延伸部の末端は、外へ向かって折断出来、又はセッティング部の長さを増加して、比較的大きいサイズの注射器に適用できるようにしたことを特徴とする、前記第1発明に記載の使い捨て安全注射針の保護キャップを提供する。
本願の第５発明は、前記延伸部の底部には、注射器外縁を係止出来るセッティング部材を設置したことを特徴とする、前記第1発明に記載の使い捨て安全注射針の保護キャップを提供する。
本願の第６発明は、前記延伸部には、若干の折断部を設置したことを特徴とする、前記第1発明に記載の使い捨て安全注射針の保護キャップを提供する。
本願の第７発明は、前記延伸部と注射器の上に、係止部材を設置して互いに係合するようにしたことを特徴とする、前記第1発明に記載の使い捨て安全注射針の保護キャップを提供する。
本願の第８発明は、前記係止部材は、係合、嵌合、付合、歯合、対応接合、嵌着接合、又は制止干渉する方式で延伸部と注射器を互いに接合させるようにしたことを特徴とする、前記第７発明に記載の使い捨て安全注射針の保護キャップを提供する。
【０００８】
本願の第９発明は、主として一般の注射器と分離できる注射針、或いは注射針と一体成型された注射器において使用され、保護カバーと、回転保護部材と、を含み、前記保護キャップは、その側辺に垂直部を延伸し、前記垂直部の上に回転軸穴を開設し、且つ前記保護カバーの上に保護カバーを貫通する貫通穴を設けてあり、前記回転保護部材は、その側辺に延伸部を設け、且つ前記延伸部の上に回転軸を設け、前記回転軸の末端には突起ブロックを設けてあり、前記保護カバーは、伸縮カバーによって一般の注射器と分離できる注射針、又は注射針と一体成型された注射器の上に連接され、前記回転保護部材は、回転軸によって保護カバーの回転軸の中に穿設され、且つ回転軸末端の突起ブロックは回転軸穴の外側壁面に当接していることを特徴とする、
使い捨て安全注射針の保護キャップを提供する。
本願の第１０発明は、前記回転保護部材及び保護カバーには、対応する係止部材を設置して係合させるようにしたことを特徴とする、前記第９発明に記載の使い捨て安全注射針の保護キャップを提供する。
本願の第１１発明は、前記保護カバーの底部には、セッティング部材によって注射針又は注射器と一体成型された注射器と連結し、且つ前記セッティング部材は注射針を軸心として回転できることを特徴とする、前記第９発明に記載の使い捨て安全注射針の保護キャップを提供する。
本願の第１２発明は、前記係止部材は、係合、嵌合、付合、歯合、対応接合、嵌着接合又は制止干渉する方式で相互接合したことを特徴とする、前記第１０発明に記載の使い捨て安全注射針の保護キャップを提供する。
【０００９】
本願の第１３発明は、主として頭皮針に使用され、注射針キャップと、位置決め部材と、を含み、前記注射針キャップの上に通路を設け、且つ注射針キャップ側辺前縁に凹溝を有する固定片を設け、且つ前記注射針キャップには、固定片の後端に制止ブロックを有する制止部を設け、注射針キャップの側辺には手持ち部を延伸してあり、前記位置決め部材には、セッティング穴を開設し、且つ前記位置決め部材の上方から両側へ向かってそれぞれ係止片を延伸し、更に注射針キャップ側辺の固定片の位置に対応する係止片の上に係止体を延伸してあり、前記位置決め部材は、セッティング穴によって頭皮針と連接すると共に注射針キャップの中に穿設され、更に係止片によって注射針キャップの外側壁面に挟み付けられ、そして位置決め部材の係止体は制止部の制止ブロックの前端に設けてあることを特徴とする、使い捨て安全注射針の保護キャップを提供する。
本願の第１４発明は、前記通路は、注射針キャップの後端を貫通し、且つ通路の後ろ側に一個又は一個以上のとめブロックを設置したことを特徴とする、前記第１３発明に記載の使い捨て安全注射針の保護キャップを提供する。
本願の第１５発明は、前記注射針キャップの側辺には、手持ち部を設けず、位置決め部材又は注射針キャップに対応して設けた係止体のもう一方の側に係止体を延伸したことを特徴とする、前記第１３発明に記載の使い捨て安全注射針の保護キャップを提供する。
本願の第１６発明は、前記注射針キャップの側辺前縁には、固定片を設けず、注射針キャップの通路外縁に若干の位置決めポイントを設置したことを特徴とする、前記第１３発明に記載の使い捨て安全注射針の保護キャップを提供する。
本願の第１７発明は、前記注射針キャップには、制止部を設けず、直接制止ブロックを通路の片側又は両側の注射針キャップ外縁に設けたことことを特徴とする、前記第１３発明に記載の使い捨て安全注射針の保護キャップを提供する。
本願の第１８発明は、前記位置決め部材には、セッティング穴を設けず、位置決め部材と頭皮針を一体成型したことを特徴とする、前記第１３発明に記載の使い捨て安全注射針の保護キャップを提供する。
【発明の効果】
【００１０】
本発明に係る使い捨て安全注射針の保護キャップは、操作が容易且つ安全で、二次的に利用される心配もない。
【発明を実施するための最良の形態】
【００１１】
以降に図面を参照しながら、発明を実施するための最良の形態について説明する。
【実施例】
【００１２】
図１、図２及び図３は、本発明に係る使い捨て安全注射針の保護キャップであり、主として、一般の注射器と分離できる注射針、又は注射針３と一体成型された注射器に使用される。
【００１３】
保護キャップは回転軸保護キャップ１と、セッティング部材２と、を含む。
前記回転軸保護キャップ１は、注射針キャップ１１の側辺に回転軸１３を有する延伸部１２を設け、前記回転軸１３の底部に突起ブロック１４を設け、又注射針キャップ１１の中に収容部１１１を設け、且つ注射針キャップ１１の外側縁に延伸部１２と並行する開口１１２を設けてある。
【００１４】
前記セッティング部材２には、回転軸穴２１及び固定穴２２を設け、且つ回転軸穴２１及び固定穴２２の間を通路２３で繋ぐと共に、通路２３の固定穴２２に近いところに制動ブロック２４を設けてある。又、前記セッティング部材２の側辺にセッティング部２５を延伸し、前記セッティング部２５にはセッティング穴２６を開設すると共に、セッティング部材２とセッティング部２５の繋ぎ目に収容穴２７を設けてある。
【００１５】
前記回転軸保護キャップ１は、回転軸１３をセッティング部材２の回転軸穴２１の中へ貫通させ、且つ回転軸１３底部の突起ブロック１４は回転軸穴２１の外側壁面に当接し、前記セッティング部のセッティング穴２６は注射器又は注射針の外縁にセットできるようになっている。
又、前記セッティング部２５にはセッティング穴２６を設けず、セッティング部２５を直接注射針又は注射器の上に設置して、セッティング部２５と注射針又は注射器を一体成型してもよい。
【００１６】
図１，３，４，５及び図６を参照して説明する。
本発明に係る使い捨て安全注射針の保護キャップを使用するときは、セッティング部２５のセッティング穴２６を注射針又は注射器にセットする。
まずセッティング穴２６を軸心として回転させ、注射針３先端の斜面３１と延伸部１２を相対させ（図３に示すように、その目的は、注射針３を患者の体に刺し入れるとき、先端の斜面３１を上向きにしなければならないので、若し回転軸保護キャップ１が注射針３先端の斜面３１の底部にある場合、注射針３を患者の体に刺し込む角度が大きくなり、看護人員の操作に不都合をもたらすからである）、次に回転保護キャップ１を回転軸１３を軸心として回転させ、注射針キャップ１１内に保護された注射針３の先端を、注射針キャップ１１側辺の開口１１２から離脱させる。
【００１７】
然る後抽出又は注射する動作を行い、抽出又は注射が終わると、ただ回転軸保護キャップ１を回転軸１３を軸心として元の位置に戻す。
次に回転軸保護キャップ１を下へ押さえ、回転軸１３が通路２３を経由して固定穴２２の中に入り、且つ制動ブロック２４によって回転軸１３を止め、回転軸１３が上に向かって引っ張られないようにすると共に、注射針３の先端も又完全に注射針キャップ１１の収容部１１１の中に入り込む。
【００１８】
この時、例え再び回転軸１３を軸心として回転軸保護キャップ１を回転させても、注射針３は、収容部１１の開口１１２上端の壁面によって遮られ、離脱することができない。
従って、二次的に利用される危険を防止できる。
又、注射又は抽出を行った後は、注射針３に血液又はその他の薬剤が残留しやすいので、注射針キャップ１１の収容部１１１の中に吸水性の吸水部材を設置し、吸水部材で注射針３に残留する血液又は薬剤を吸収することによって、危険の発生を防ぐことができる。
【００１９】
図７，８，９及び図１０を参照して説明する。
本発明に係る使い捨て安全注射針の保護キャップにおいては、前記延伸部１２の末端を外へ向かって折断、或いはセッティング部２５の長さを増加し、比較的大サイズの注射器に適用できるようにすることも出来る。
【００２０】
又、延伸部１２底部に注射器外縁を係止することの出来るセッティング部材１２１を設置したり、或いは延伸部１２と注射器の上に互いに係合、嵌合、付合、歯合、対応接合、嵌着接合又は制止干渉する係止部材４を設置したりして、延伸部１２と注射器を相互接合することによって、本発明に係る使い捨て安全注射針の保護キャップを使用する前に、その他の要素によって回転軸保護キャップ１が回転し、注射針３が外部に暴露して危険を招くことを避ける事が出来る。
【００２１】
又、前記延伸部１２の上に若干の折断部１２２を設け、看護人員が本発明に係る使い捨て安全注射針の保護キャップを使用するとき、延伸部１２２を折断することによって、抽出又は注射時に、延伸部１２が長すぎるために操作しにくいことを避ける事も出来る。
【００２２】
図１１，１２及び図１３を参照して説明する。
本発明に係る使い捨て安全注射針の保護キャップは、保護カバー５と、回転保護部材６と、を含む。
【００２３】
前記保護カバー５は、その側辺に垂直部５１を延伸し、前記垂直部５１の上に回転軸穴５２を開設し、且つ前記保護カバー５の上に保護カバー５を貫通する貫通穴５３を設けてある。
前記回転保護部材６は、その側辺に延伸部６１を設け、且つ前記延伸部６１の上に回転軸６２を設け、前記回転軸６２の末端には突起ブロック６３を設けてある。
【００２４】
前記保護カバー５は、伸縮カバー７によって一般の注射器と分離できる注射針、又は注射針３と一体成型された注射器の上に連接される。
前記回転保護部材６は、回転軸６２によって保護カバー５の回転軸５２の中に穿設され、且つ回転軸６２末端の突起ブロック６３は回転軸穴５２の外側壁面に当接し、そして回転保護部材６は保護カバー５の貫通孔５３の上に被せてあり、前記回転保護部材６と保護カバー５には、相互対応する係止部材４を設置し、係合、嵌合、付合、歯合、対応接合、嵌着接合又は制止干渉する方式で、相互接合してある。
【００２５】
図１１，１３及び図１４を参照して説明する。
本発明に係る使い捨て安全注射針の保護キャップにおいて、前記保護カバー５は、伸縮カバー７によって注射針又は注射針３と一体成型された注射器と連接することによって、注射針３の先端を保護カバー５の貫通孔５３の中に収容する。
【００２６】
本発明に係る使い捨て安全注射針の保護キャップを使用するときは、ただ回転保護部材６を回転軸６２を軸心として回転させ、回転保護部材６と保護カバー５の貫通孔５３を露出させ、次に本発明に係る使い捨て安全注射針の保護キャップを伸縮カバー７によって下へ下げて、注射針３を保護カバー５の貫通孔５３から露出させ、抽出又は注射の動作を行う。
【００２７】
抽出又は注射が終わると、ただ本発明に係る使い捨て安全注射針の保護キャップを伸縮カバー７によって元の位置に押し戻し、次に回転保護部材６を回転軸６２を軸心として元に位置に戻し、回転保護部材６を保護カバー５の貫通孔５３の上に被せ、注射針３が露出して危険をもたらすことを避ける。又、前記伸縮カバー底部は、セッティング部材と注射針または注射針３と一体成型された注射器に連接し、且つ前記セッティング部材は注射針３を軸心として回転し、注射針３先端の斜面３１と延伸部を相対させ、注射針３が患者の体に刺し込まれる角度が大きくなって看護人員の操作が困難になることを避けることも出来る。
【００２８】
図１５，１６，１７及び図１８を参照して説明する。
本発明に係る使い捨て安全注射針の保護キャップは、主として頭皮針（又の名を蝶々針と呼ぶ）に使用するもので、注射針キャップ８と、位置決め部材９と、を含む。
【００２９】
前記注射針キャップ８の上に通路８１を設け、且つ注射針キャップ８側辺前縁に凹溝８３を有する固定片８２を設け、且つ前記注射針キャップ８には、固定片８２の後端に制止ブロック８５を有する制止部８４を設けてある。
【００３０】
前記位置決め部材９には、セッティング穴９１を開設し、且つ前記位置決め部材９の上方から両側へ向かってそれぞれ係止片９２を延伸し、更に注射針キャップ８の固定片８２の位置に対応する係止片９２の上に係止体９３を延伸してある。
【００３１】
前記位置決め部材９は、セッティング穴９１によって頭皮針と連接すると共に注射針キャップ８の中に穿設され、更に係止片９２によって注射針キャップ８の外側壁面に挟み付けられ、そして位置決め部材９の係止体９３は制止部８４の制止ブロック８５の前端に設けてある。
【００３２】
又、前記注射針キャップ８の側辺には外へ向かって延伸する手持ち部８６を設けてもよく、前記通路８１は注射針キャップ８の後ろ側を貫通すると共に一個又は一個以上のとめブロック８７を設置しても良い。
又、前記位置決め部材９の上にセッティング穴９１を設けず、頭皮針と一体成型するようにしても良い。
【００３３】
図１５，１６，１７及び図１８を参照して説明する。
本発明に係る使い捨て安全注射針の保護キャップにおいて、前記位置決め部材９はセッティング穴９１によって頭皮針と連接され、頭皮針上の注射針３が注射針キャップ８の中に収容されるようにしてある。
【００３４】
本発明に係る使い捨て安全注射針の保護キャップを使用する時は、只係止体９３を前に引っ張り、位置決め部材９を頭皮針と共に注射針キャップ８の前端まで移動させて頭皮針上の注射針３を注射針キャップ８から突き出させ、次に位置決め部材９の係止体９３を固定片８２の凹溝８３の中に嵌め込んで位置決めし、抽出又は注射する時位置決め部材９が滑動しないようにする。
【００３５】
抽出又は注射が終わると、只係止体９３と凹溝８３を分離させ、次に位置決め部材９を後ろへ引っ張り、係止体９３を制止部８４の後方へ戻し、制止部８４の制止ブロック８５が係止体９３の前縁突き当たることによって、位置決め部材９が前へ進めないようにして、注射針３が注射針キャップ８から突き出る危険を避けている。
【００３６】
図１６，１９，２０及び図２１をを参照して説明する。
本発明に係る使い捨て安全注射針の保護キャップにおいて、前記注射針キャップ８の側辺に手持ち部８６を設けず、前記位置決め部材９又は注射針キャップ８に対応して設けた係止体９３のもう一方の側に係止体９３を延伸しても良い。
【００３７】
又、注射針キャップ８の側辺前縁に固定片８２を設けず、注射針キャップ８の通路８１の外縁に若干の位置決めポイント８８を設置し、位置決め部材９が前へ移動する時、位置決めポイント８８によって係止片９２の後ろ側壁面に突き当たり、抽出又は注射を行う時位置決め部材９が滑動するのを避けるようにしても良い。
又、前記注射針キャップ８の上に制止部８４を設けず、直接制止ブロック８５を通路８１の片側又は両側の注射針キャップ８外縁に設置しても良い。
又、前記注射針キャップ８の上に制止部８４を設けず、注射針キャップ８の側辺に位置決め部材９をはめ込むことの出来る溝８９を開設しても良い。
【図面の簡単な説明】
【００３８】
【図１】本発明に係る使い捨て安全注射針の保護キャップの斜視分解図である。
【図２】前記使い捨て安全注射針の保護キャップの斜視外観図である。
【図３】前記使い捨て安全注射針の保護キャップの使用状態側面図である。
【図４】前記使い捨て安全注射針の保護キャップの使用状態略図である。
【図５】前記使い捨て安全注射針の保護キャップの動作略図（一）である。
【図６】前記使い捨て安全注射針の保護キャップの動作略図（二）である。
【図７】前記使い捨て安全注射針の保護キャップの第一実施例の斜視分解図である。
【図８】前記使い捨て安全注射針の保護キャップの第二実施例の斜視外観図である。
【図９】前記使い捨て安全注射針の保護キャップの第三実施例の使用状態動作略図である。
【図１０】前記使い捨て安全注射針の保護キャップの第四実施例の斜視外観図である。
【図１１】もう一つ別の使い捨て安全注射針の保護キャップの斜視外観図である。
【図１２】もう一つ別の使い捨て安全注射針の保護キャップの斜視分解図である。
【図１３】もう一つ別の使い捨て安全注射針の保護キャップの斜視分解断面図である。
【図１４】もう一つ別の使い捨て安全注射針の保護キャップの動作略図である。
【図１５】又もう一つ別の使い捨て安全注射針の保護キャップの斜視外観図である。
【図１６】又もう一つ別の使い捨て安全注射針の保護キャップの斜視分解図である。
【図１７】又もう一つ別の使い捨て安全注射針の保護キャップの動作略図（一）である。
【図１８】又もう一つ別の使い捨て安全注射針の保護キャップの動作略図（二）である。
【図１９】又もう一つ別の使い捨て安全注射針の保護キャップの第一実施例の斜視分解図である。
【図２０】又もう一つ別の使い捨て安全注射針の保護キャップの第二実施例の斜視分解図である。
【図２１】又もう一つ別の使い捨て安全注射針の保護キャップの第三実施例の斜視分解図である。
【符号の説明】
【００３９】
１・・・・・・回転軸保護キャップ
１１・・・・・注射針キャップ
１１１・・・・収容部
１１２・・・・開口
１２・・・・・延伸部
１２１・・・・セッティング部材
１２２・・・・折断部
１３・・・・・回転軸
１４・・・・・突起ブロック
２・・・・・・セッティング部材
２１・・・・・回転軸穴
２２・・・・・固定穴
２３・・・・・通路
２４・・・・・制動ブロック
２５・・・・・セッティング部
２６・・・・・セッティング穴
２７・・・・・収容穴
３・・・・・・注射針
３１・・・・・斜面
４・・・・・・係止部材
５・・・・・・保護カバー
５１・・・・・垂直部
５２・・・・・回転軸穴
５３・・・・・穿孔
６・・・・・・回転保護部材
６１・・・・・延伸部
６２・・・・・回転軸
６３・・・・・突起ブロック
７・・・・・・伸縮カバー
８・・・・・・注射針キャップ
８１・・・・・通路
８２・・・・・固定片
８３・・・・・凹溝
８４・・・・・制止部
８５・・・・・制止ブロック
８６・・・・・手持ち部
８７・・・・・位置決めポイント
８８・・・・・止めブロック
８９・・・・・溝
９・・・・・・位置決め部材
９１・・・・・セッティング穴
９２・・・・・係止片
９３・・・・・係止体
【図１】
2007511259.tif 000003
【図２】
2007511259.tif 000004
【図３】
2007511259.tif 000005
【図４】
2007511259.tif 000006
【図５】
2007511259.tif 000007
【図６】
2007511259.tif 000008
【図７】
2007511259.tif 000009
【図８】
2007511259.tif 000010
【図９】
2007511259.tif 000011
【図１０】
2007511259.tif 000012
【図１１】
2007511259.tif 000013
【図１２】
2007511259.tif 000014
【図１３】
2007511259.tif 000015
【図１４】
2007511259.tif 000016
【図１５】
2007511259.tif 000017
【図１６】
2007511259.tif 000018
【図１７】
2007511259.tif 000019
【図１８】
2007511259.tif 000020
【図１９】
2007511259.tif 000021
【図２０】
2007511259.tif 000022
【図２１】
2007511259.tif 000023
【国際調査報告】
2007511259.tif 000024
2007511259.tif 000025
2007511259.tif 000026
2007511259.tif 000027
2007511259.tif 000028
2007511259.tif 000029